(57)【特許請求の範囲】
【請求項１】
合成樹脂製の吸気管と、この吸気管の軸線方向に対して直交しているとともに軸受け部を介して回転自在に支持された絞弁軸と、この絞弁軸に固定され絞弁軸の回転により吸気管内を流れる空気流量を調整する絞弁と、前記絞弁軸の端部に周方向に沿って形成された溝部に係止され絞弁軸が軸線方向に移動するのを阻止したリテーナ部と、前記絞弁の開口度を検知するセンサとを備え、前記センサのケースと前記リテーナ部とは樹脂で一体化されたケース本体で構成され、かつこのケース本体は前記吸気管に固定手段で固定されている内燃機関の空気流量制御装置。
【請求項２】
固定手段はねじである請求項１に記載の内燃機関の空気流量制御装置。
【請求項３】
固定手段は樹脂溶着である請求項１に記載の内燃機関の空気流量制御装置。
【請求項４】
センサはポテンショメータである請求項１ないし請求項３の何れかに記載の内燃機関の空気流量制御装置。
【発明の詳細な説明】
【０００１】
【発明の属する技術分野】
この発明は、吸気管に回転自在に支持された絞弁軸の回転により吸気管内を流れる空気流量を調整する絞弁を備えた内燃機関の空気流量制御装置に関するものである。
【０００２】
【従来の技術】
図２は従来の内燃機関の空気流量制御装置の断面図である。
この内燃機関の空気流量制御装置は、ポリアミド系樹脂にガラス繊維が含まれた吸気管１と、この吸気管１の軸線方向に対して直交しているとともに軸受け部２を介して回転自在に支持された絞弁軸３と、この絞弁軸３に固定され絞弁軸３の回転により吸気管１内を流れる空気流量を調整する絞弁４と、絞弁軸３の端部に周方向に沿って形成された溝部３ａに係止され絞弁軸３が矢印Ａ方向に移動するのを阻止するとともに吸気管１の凹部１ａに嵌着されたリテーナ５と、このリテーナ５を押圧するとともに絞弁４の開口度を検知するセンサであるポテンショメータ６と、このポテンショメータ６を吸気管１に固定したねじ（図示せず）と、絞弁軸３を矢印Ａの方向に付勢するとともに絞弁４を閉じる方向に付勢した捩りばね７とを備えている。
【０００３】
リテーナ５はガラス繊維が含有したポリアミド系樹脂で構成されている。このリテーナ５は、図３に示すように絞弁軸３の外径よりも大きい大径部５ａ及び絞弁軸３の外径よりも小さくかつ溝部３ａの底面外径よりも大きい小径部５ｂを有している。
【０００４】
このリテーナ５は、最初にリテーナ５の大径部５ａに絞弁軸３を挿入し、その後、溝部３ａ上でリテーナ５を径方向に移動して小径部５ｂを溝部３ａに係止し、次に凹部１ａにリテーナ５をポテンショメータ６を介して押圧し、最後にポテンショメータ６を吸気管１にねじを用いて固定することで、吸気管１に取り付けられる。
【０００５】
この内燃機関の空気流量制御装置では、吸気管１に回転自在に支持された絞弁軸３の回転により、絞弁４の吸気管１内での開口度を変え、吸気管１内を流れる空気量を調整している。
絞弁４の開口度はポテンショメータ６で検出される。つまり、図示されていないが、絞弁軸３の端部に固定されポテンショメータ１２の抵抗体を押圧したブラシが、絞弁軸３の回転とともに抵抗体上を摺動して移動し、その位置が電圧信号として出力され、絞弁４の開口度が検出される。絞弁軸３の軸線方向の移動はブラシの抵抗体に対する押圧力が変化し、押圧荷重が小さいときには電圧信号が正確に検出されず、また押圧荷重が大き過ぎると抵抗体及びブラシの摩耗が生じるために耐久性が問題となる。それらの問題を防止するために、リテーナ５が絞弁軸３の軸線方向の移動を阻止している。
【０００６】
【発明が解決しようとする課題】
従来の内燃機関の空気流量制御装置では、リテーナ５とポテンショメータ６とは別部材で構成されており、部品点数が多いとともに、組立工数が多く、また製造コストも嵩むという問題点があった。
【０００７】
この発明は、上記のような問題点を解決することを課題とするものであって、部品点数及び組立工数を削減することができるとともに、製造コストを低減することができる内燃機関の空気流量制御装置を得ることを目的とする。
【０００８】
【課題を解決するための手段】
この発明の請求項１に係る内燃機関の空気流量制御装置は、合成樹脂製の吸気管と、この吸気管の軸線方向に対して直交しているとともに軸受け部を介して回転自在に支持された絞弁軸と、この絞弁軸に固定され絞弁軸の回転により吸気管内を流れる空気量を調整する絞弁と、前記絞弁軸の端部に周方向に沿って形成された溝部に係止され絞弁軸が軸線方向に移動するのを阻止したリテーナと、前記絞弁の開口度を検知するセンサとを備え、前記センサのケースと前記リテーナとは樹脂で一体化されたケース本体で構成され、かつこのケース本体は前記吸気管に固定手段で固定されている。
【０００９】
この発明の請求項２に係る内燃機関の空気流量制御装置では、固定手段はねじである。
【００１０】
この発明の請求項３に係る内燃機関の空気流量制御装置では、固定手段は樹脂溶着である。
【００１１】
この発明の請求項４に係る内燃機関の空気流量制御装置では、センサはポテンショメータである。
【００１２】
【発明の実施の形態】
実施の形態１．
図１はこの発明の実施の形態１の内燃機関の空気流量制御装置の断面図である。
この内燃機関の空気流量制御装置は、ポリアミド系樹脂にガラス繊維が含まれた吸気管１と、この吸気管１の軸線方向に対して直交しているとともに軸受け部２を介して回転自在に支持された絞弁軸３と、この絞弁軸３に固定され絞弁軸３の回転により吸気管１内を流れる空気量を調整する絞弁４と、吸気管１に固定手段である樹脂溶着により溶着部１３で固定されたケース本体１０と、絞弁軸３を矢印Ｂの方向に付勢するとともに絞弁４を閉じる方向に付勢した捩りばね７とを備えている。
ケース本体１０は、絞弁軸３の端部に周方向に沿って形成された溝部３ａに係止され絞弁軸３が矢印Ｂ方向に移動するのを阻止するリテーナ部１１と、絞弁４の開口度を検知するセンサであるポテンショメータ１２のケース１４とがポリアミド系樹脂で一体成形されて構成されている。
【００１３】
リテーナ部１１は、図３に示したと同様に絞弁軸３の外径よりも大きい大径部及び絞弁軸３の外径よりも小さくかつ溝部の底面外径よりも大きい小径部を有している。
ケース本体１０は、リテーナ部１１の大径部に絞弁軸３を挿入し、その後、溝部３ａ上でリテーナ部１１を径方向に移動して小径部を溝部３ａに係止し、次に吸気管１の凹部１ａにリテーナ部１１を押圧し、最後にケース本体１０を吸気管１に樹脂溶着により溶着部１３で固定することで、吸気管１に取り付けられる。なお、ケース本体１０の固定はそのままポテンショメータ１２が吸気管１に固定されたことになる。
【００１４】
この内燃機関の空気流量制御装置では、吸気管１に回転自在に支持された絞弁軸３の回転により、絞弁４の吸気管１内での開口度を変え、吸気管１内を流れる空気量を調整している。
【００１５】
実施の形態２．
実施の形態１では、ケース本体１０は吸気管１に樹脂溶着、具体的には加熱、または超音波処理で固定されたが、固定手段としてねじを用いてケース本体を吸気管に固定してもよい。
【００１６】
【発明の効果】
以上説明したように、この発明の請求項１に係る内燃機関の空気流量制御装置によれば、合成樹脂製の吸気管と、この吸気管の軸線方向に対して直交しているとともに軸受け部を介して回転自在に支持された絞弁軸と、この絞弁軸に固定され絞弁軸の回転により吸気管内を流れる空気流量を調整する絞弁と、前記絞弁軸の端部に周方向に沿って形成された溝部に係止され絞弁軸が軸線方向に移動するのを阻止したリテーナ部と、前記絞弁の開口度を検知するセンサとを備え、前記センサのケースと前記リテーナ部とは樹脂で一体化されたケース本体で構成され、かつこのケース本体は前記吸気管に固定手段で固定されているので、部品点数及び組立工数を削減することができるとともに、製造コストを低減することができる。
【００１７】
また、請求項２に係る内燃機関の空気流量制御装置によれば、固定手段はねじであるので、低コストで、かつ簡単な構成でケース本体を吸気管に固定することができる。
【００１８】
また、請求項３に係る内燃機関の空気流量制御装置によれば、固定手段は樹脂溶着であるので、簡単で、かつ強固にケース本体を吸気管に固定することができるとともに、ケース本体と吸気管との間の気密性が確保され、気密性用にＯリングを備える必要性がない。
【００１９】
また、請求項４に係る内燃機関の空気流量制御装置によれば、センサはポテンショメータであり、簡単に絞弁の開口度を正確に検知することができる。
【図面の簡単な説明】
【図１】  この発明の実施の形態１に係る内燃機関の空気流量制御装置の断面図である。
【図２】  従来の内燃機関の空気流量制御装置の断面図である。
【図３】  図２のリテーナの正面図である。
【符号の説明】
１  吸気管、２  軸受け部、３  絞弁軸、３ａ  溝部、４  絞弁、１０  ケース本体、１１  リテーナ部、１２，ポテンショメータ。１３  溶着部、１４  ケース。
【図１】
0003720627.tif 000002
【図２】
0003720627.tif 000003
【図３】
0003720627.tif 000004